(57)【要約】【課題】インピーダンス整合を容易に調整でき、電気信号を高速伝送することができるコネクタを提供する。【解決手段】複数のコンタクトと、上部絶縁体と、下部絶縁体と、を有し、前記コンタクトには、一方の直線部と、他方の直線部と、前記一方の直線部と前記他方の直線部との間の折り曲げ部が設けられており、前記下部絶縁体と前記コンタクトとは、前記下部絶縁体の側面と前記コンタクトの他方の直線部とが対向し、前記下部絶縁体の上面と前記コンタクトの一方の直線部とが対向するように設置されており、隣り合う前記コンタクト同士の一方の直線部の間には、前記下部絶縁体の上面に突起が設けられていることを特徴とするコネクタにより上記課題を解決する。【選択図】  図４
2018133275.tif 000002
【特許請求の範囲】
【請求項１】
複数のコンタクトと、
上部絶縁体と、
下部絶縁体と、
を有し、
前記コンタクトには、一方の直線部と、他方の直線部と、前記一方の直線部と前記他方の直線部との間の折り曲げ部が設けられており、
前記下部絶縁体と前記コンタクトとは、前記下部絶縁体の側面と前記コンタクトの他方の直線部とが対向し、前記下部絶縁体の上面と前記コンタクトの一方の直線部とが対向するように設置されており、
隣り合う前記コンタクト同士の一方の直線部の間には、前記下部絶縁体の上面に突起が設けられていることを特徴とするコネクタ。
【請求項２】
前記一方の直線部は、前記下部絶縁体と前記上部絶縁体との間に位置していることを特徴とする請求項１に記載のコネクタ。
【請求項３】
前記下部絶縁体の側面には、隣り合う前記コンタクトの他方の直線部間に第２の突起が設けられていることを特徴とする請求項１または２に記載のコネクタ。
【発明の詳細な説明】
【技術分野】
【０００１】
本発明は、コネクタに関する。
【背景技術】
【０００２】
電子機器間を接続する部品としてコネクタがある。一方の電子機器に接続されたコネクタと他方の電子機器に接続されたコネクタとを接続することにより、一方の電子機器と他方の電子機器との間で電気信号を伝送することができる。
【先行技術文献】
【特許文献】
【０００３】
【特許文献１】特開２００２−８７５３号公報
【特許文献２】特開２０１１−３２８６号公報
【特許文献３】特開２０１６−９１５９８号公報
【発明の概要】
【発明が解決しようとする課題】
【０００４】
コネクタにおいては、容易にインピーダンスを調整することができ、できるだけ電気信号を高速伝送することができるものが求められている。
【課題を解決するための手段】
【０００５】
本実施の形態の一観点によれば、複数のコンタクトと、上部絶縁体と、下部絶縁体と、を有し、前記コンタクトには、一方の直線部と、他方の直線部と、前記一方の直線部と前記他方の直線部との間の折り曲げ部が設けられており、前記下部絶縁体と前記コンタクトとは、前記下部絶縁体の側面と前記コンタクトの他方の直線部とが対向し、前記下部絶縁体の上面と前記コンタクトの一方の直線部とが対向するように設置されており、隣り合う前記コンタクト同士の一方の直線部の間には、前記下部絶縁体の上面に突起が設けられていることを特徴とする。
【発明の効果】
【０００６】
開示のコネクタによれば、コネクタのインピーダンス整合を容易に調整でき、電気信号を高速伝送することができる。
【図面の簡単な説明】
【０００７】
【図１】本実施の形態におけるコネクタの斜視図
【図２】本実施の形態におけるコネクタの上面図
【図３】本実施の形態におけるジャックコネクタの断面図
【図４】本実施の形態におけるジャックコネクタの内部の斜視図
【図５】本実施の形態におけるジャックコネクタの内部の上面図
【図６】比較のために用いたジャックコネクタの内部の斜視図
【図７】比較のために用いたジャックコネクタの要部の断面図
【図８】本実施の形態におけるジャックコネクタの要部の断面図
【発明を実施するための形態】
【０００８】
本発明を実施するための形態について、以下に説明する。尚、同じ部材等については、同一の符号を付して説明を省略する。
【０００９】
（コネクタの嵌合）
本実施の形態によるコネクタを図１及び図２に基づき説明する。図１（ａ）は本実施の形態によるプラグコネクタの斜視図であり、図１（ｂ）はジャックコネクタの斜視図である。図２（ａ）は本実施の形態によるプラグコネクタの上面図であり、図２（ｂ）はジャックコネクタの上面図である。本実施の形態において、プラグコネクタを一方のコネクタと記載し、ジャックコネクタを他方のコネクタと記載する場合がある。
【００１０】
プラグコネクタ１００は、絶縁体部１２０に配置された複数のプラグコンタクト１１０を有している。同様に、ジャックコネクタ２００は絶縁体部２２０に配置された複数のジャックコンタクト２１０を有している。
【００１１】
絶縁体部１２０は、上部絶縁体１２１と下部絶縁体１２２を有する。また、絶縁体部２２０は、上部絶縁体２２１と下部絶縁体２２２を有する。上部絶縁体１２１、下部絶縁体１２２、上部絶縁体２２１及び下部絶縁体２２２は、ＬＣＰ（液晶ポリマー）樹脂等の絶縁材料により形成されている。
【００１２】
本実施の形態において、電気信号を伝送するプラグコンタクト１１０及びジャックコンタクト２１０は金属材料により形成されている。
【００１３】
本実施の形態においては、プラグコネクタ１００とジャックコネクタ２００とを嵌合させることによりプラグコンタクト１１０とジャックコンタクト２１０とが接触して電気的に接続され、電気信号を伝送することができる。
【００１４】
プラグコネクタ１００では、複数のプラグコンタクト１１０が対向して２列に並んで配置されている。また、ジャックコネクタ２００では、プラグコンタクト１１０に対応して、複数のジャックコンタクト２１０が対向して２列に並んで配置されている。
【００１５】
プラグコネクタ１００の上部絶縁体１２１の長手方向の両端付近には、第１の凸部１３１と第２の凸部１３２とが設けられている。第１の凸部１３１は、プラグコンタクト１１０の一方の列の両側に１つずつ設けられている。同様に、第２の凸部１３２は、プラグコンタクト１１０の他方の列の両側に１つずつ設けられている。一方の第１の凸部１３１の端から他方の第１の凸部１３１の端までの長さＬ１は、一方の第２の凸部１３２の端から他方の第２の凸部１３２の端までの長さＬ２よりも長くなっている。
【００１６】
また、ジャックコネクタ２００の上部絶縁体２２１の長手方向の両端付近には、第１の凸部１３１が入る第１の溝部２３１と、第２の凸部１３２が入る第２の溝部２３２がそれぞれ設けられている。従って、ジャックコンタクト２１０の一方の第１の溝部２３１の端から他方の第１の溝部２３１の端までの長さはＬ１となるように形成されており、一方の第２の溝部２３２の端から他方の第２の溝部２３２の端までの長さはＬ２となるように形成されている。
【００１７】
本実施の形態では、プラグコネクタ１００の両側に設けられた第１の凸部１３１が第１の溝部２３１に入り込み、プラグコンタクト１１０の両側に設けられた第２の凸部１３２が第２の溝部２３２に入り込むことにより、プラグコネクタ１００とジャックコネクタ２００とが嵌合される。
【００１８】
上記の通り、２つの第１の凸部１３１間の長さＬ１と２つの第２の凸部１３２間の長さＬ２、２つの第１の溝部２３１間の長さＬ１と２つの第２の溝部２３２間の長さＬ２とが、それぞれ異なる。従って、プラグコネクタ１００の第１の凸部１３１をジャックコネクタ２００の第２の溝部２３２に入れようとしても、第１の凸部１３１の長さＬ１は第２の溝部２３２の長さＬ２よりも長いため、第１の凸部１３１が第２の溝部２３２に入り込むことはない。これにより、プラグコネクタ１００とジャックコネクタ２００とが誤った向きで嵌合されることを防いでいる。
【００１９】
（コンタクトの設置）
次に、ジャックコネクタ２００を例に、絶縁体部２２０に設置されたジャックコンタクト２１０について説明する。図３は、ジャックコネクタ２００の断面図である。尚、プラグコネクタ１００も同様の構成となっている。
【００２０】
ジャックコンタクト２１０は金属を折り曲げることにより形成されており、図３に示すように、一方の端より他方の端に向けて、第１の直線部２１１、第１の折り曲げ部２１２、第２の直線部２１３、第２の折り曲げ部２１４、第３の直線部２１５、第３の折り曲げ部２１６、第４の直線部２１７の順に形成されている。尚、第１の直線部２１１、第２の直線部２１３、第３の直線部２１５、第４の直線部２１７は、直製部分以外にも一部曲線部分を含むものであってもよく、また、緩やかな曲線により形成されているものであってもよい。
【００２１】
第１の折り曲げ部２１２では、第１の直線部２１１に対して第２の直線部２１３が略直角に折り曲げられている。第２の折り曲げ部２１４では、第２の直線部２１３に対して第３の直線部２１５が略直角に折り曲げられている。第３の折り曲げ部２１６では、第３の直線部２１５に対して第４の直線部２１７が略直角に折り曲げられている。従って、第１の直線部２１１と第３の直線部２１５とは略平行となり、第２の直線部２１３と第４の直線部２１７とは略平行となっている。
【００２２】
第１の直線部２１１は、プラグコンタクト１１０に接続される部分である。第４の直線部２１７はプリント基板３００に設けられた端子にハンダ付けされる部分であり、リードとも呼ばれる。尚、図３では、ジャックコンタクト２１０がプリント基板３００の端子に接続される前の状態を示している。
【００２３】
上部絶縁体２２１には、第２の折り曲げ部２１４を図３の下方向、即ち、第４の直線部２１７が形成されている方向に押す凸状の押下部２４１が設けられている。押下部２４１により第２の折り曲げ部２１４が押されることにより、ジャックコンタクト２１０の第４の直線部２１７のプリント基板３００面側の高さ、即ち、図面における上下方向の位置を揃えることができ、第４の直線部２１７をプリント基板３００に確実にハンダ付けすることができる。
【００２４】
また、本実施の形態では、下部絶縁体２２２に取り付けられたジャックコンタクト２１０を覆うロケータ２４０が設けられている。下部絶縁体２２２のプリント基板３００側には、ロケータ２４０側に突き出した突き出し部２４２が設けられている。本実施の形態では、突き出し部２４２によりジャックコンタクト２１０の第３の直線部２１５がロケータ２４０側に押されるため、第４の直線部２１７のプリント基板３００面における図示左右方向の位置を揃えることができる。例えば、突き出し部２４２により第３の直線部２１５を押してロケータ２４０の内側の壁面に突き当てることにより、第４の直線部２１７の位置を揃えることができる。
【００２５】
（インピーダンス整合）
次に、本実施の形態によるコネクタのインピーダンス整合について、ジャックコネクタ２００を例に説明する。尚、プラグコネクタについても同様である。
【００２６】
本実施の形態では、図４及び図５に示すように、下部絶縁体２２２の外側に位置するように、ジャックコンタクト２１０の第２の直線部２１３、第２の折り曲げ部２１４及び第３の直線部２１５が設置されている。
【００２７】
具体的には、下部絶縁体２２２の側面２２２ａには、複数の第１の突起２４３が設けられるとともに、第３の直線部２１５が設置されている。第１の突起２４３は、ジャックコネクタ２００の長手方向で隣り合うジャックコンタクト２１０の第３の直線部２１５同士の間に設けられており、第１の突起２４３により各々のジャックコンタクト２１０の位置が規定される。
【００２８】
また、下部絶縁体２２２の上面２２２ｂには、複数の第２の突起２４４が設けられるともに、第２の直線部２１３が設置されている。第２の突起２４４は、ジャックコネクタ２００の長手方向で隣り合うジャックコンタクト２１０の第２の直線部２１３同士の間に設けられている。このように、上面２２２ｂに第２の突起２４４を設けることにより、インピーダンスを調整することができ、インピーダンス整合をとることができる。
【００２９】
第２の突起２４４の高さは、下部絶縁体２２２に設置された第２の直線部２１３よりも高くなるように形成されている。尚、下部絶縁体２２２は絶縁体により形成されているため、第２の突起２４４も絶縁体により形成されている。
【００３０】
次に、第２の突起２４４を設けることによりインピーダンス整合させることができることについて、図６に示される下部絶縁体に突起が設けられていないジャックコネクタと比較して説明する。
【００３１】
図６に示されるように、下部絶縁体の上面２２２ｂに突起が形成されていない場合には、図７に示されるように、隣り合うジャックコンタクト２１０の第２の直線部２１３の間には空間が存在しているのみである。この場合の断面におけるインピーダンスの値は１３５Ωであった。
【００３２】
これに対し、本実施の形態では、図４に示すように下部絶縁体２２２の上面２２２ｂに第２の突起２４４が形成されている。即ち、図８に示されるように、隣り合う第２の直線部２１３の間に第２の突起２４４が存在している。この場合の断面におけるインピーダンスの値は１０４Ωであり、上面２２２ｂに第２の突起２４４を設けることにより、インピーダンスを調整することができ、インピーダンス整合させることができる。
【００３３】
以上、本発明の実施に係る形態について説明したが、上記内容は、発明の内容を限定するものではない。
【符号の説明】
【００３４】
１００      プラグコネクタ
１１０      プラグコンタクト
１２１      上部絶縁体
１２２      下部絶縁体
１３１      第１の凸部
１３２      第２の凸部
２００      ジャックコネクタ
２１０      ジャックコンタクト
２１１      第１の直線部
２１２      第１の折り曲げ部
２１３      第２の直線部
２１４      第２の折り曲げ部
２１５      第３の直線部
２１６      第３の折り曲げ部
２１７      第４の直線部
２２１      上部絶縁体
２２２      下部絶縁体
２３１      第１の溝
２３２      第２の溝
２４０      ロケータ
２４１      押下部
２４２      突き出し部
２４３      第１の突起
２４４      第２の突起
【図１】
2018133275.tif 000003
【図２】
2018133275.tif 000004
【図３】
2018133275.tif 000005
【図４】
2018133275.tif 000006
【図５】
2018133275.tif 000007
【図６】
2018133275.tif 000008
【図７】
2018133275.tif 000009
【図８】
2018133275.tif 000010